(57)【特許請求の範囲】
【請求項１】
複数組のホッパ（３７）（３７１）（３７２）及び繰出ケース（３８）（３８１）（３８２）を左右方向に並設させ、かつ複数組のエアタンク（４２）（４２１）（４２２）を左右方向に延設させる施肥部（３６）を走行車（１）に設け、前記走行車（１）の車体カバー（１２）の両側に左右補助ステップ（１２５）を配設させてなる田植機において、
前記中央のエアタンク（４２）の両側に左右エアタンク（４２１）（４２２）を第１支点軸（１２６）を介して回動可能に連結させ、前記左右のうち一方のタンク（４２２）の機外側端に送風機（４１）を固設し、
前記支点軸（１２６）を中心に前記左右エアタンク（４２１）（４２２）を略水平に回転させて前記左右補助ステップ（１２５）上方に移行させるように構成し、
前記中央の繰出ケース（３８）の両側に左右繰出ケース（３８１）（３８２）を、前記第１支点軸（１２６）とは異なる位置の第２支点軸（１４２）を介して回動可能に連結させ、
前記左右繰出ケース（３８１）（３８２）を前記第２支点軸（１４２）回りに略水平方向に回転させ、前記左右繰出ケース（３８１）（３８２）を前記左右補助ステップ（１２５）上方に移行させるように構成し、
前記左右のホッパ（３７１）（３７２）及び左右の繰出ケース（３８１）（３８２）を施肥作業位置または折畳み収納位置に回転させる前記第２支点軸（１４２）と、前記送風機（４１）及び前記左右のエアタンク（４２１）（４２２）を施肥作業位置または折畳み収納位置に回転させる前記第１支点軸（１２６）とを、前記走行車（１）の運転席（１３）両側で左右に張出す前記左右補助ステップ（１２５）の左右設置幅内に設け、
前記中央と左右のエアタンク（４２）（４２１）（４２２）の連結部に配置した前記第１支点軸（１２６）よりも機外側に前記補助ステップ（１２５）の機外側部を突設し、
また前記中央と左右の繰出ケース（３８）（３８１）（３８２）の接合部に配置した前記第２支点軸（１４２）よりも機外側に前記補助ステップ（１２５）の機外側部を突設し、
前記左右の繰出ケース（３８１）（３８２）並びに左右のエアタンク（４２１）（４２２）を前記補助ステップ（１２５）の左右設置幅内で上方に収納させるように構成したことを特徴とする田植機。
【発明の詳細な説明】
【０００１】
【発明の属する技術分野】
本発明は例えば苗載台及び植付爪を備えて連続的に苗植作業及び側条施肥作業を行う田植機に関する。
【０００２】
【発明が解決しようとする課題】
従来、特開平５−２７６８１８号公報に示す如く、複数組のホッパ及び繰出ケースを左右方向に並設させ、かつエアタンクを左右方向に延設させる技術があるが、運搬用トラック荷台から機外側のホッパが突出し易く、植付部及び施肥部の多条大型化によって容易に運搬し得ない不具合がある。そこで、特開平５−３０４８０５号公報に示す如く、機外側のホッパを回動自在に取付けて機体内方に収納させる技術もあるが、繰出ケース及びエアタンクが突出した状態となって運搬時に衝突損傷させ易い等の問題がある。
【０００３】
【課題を解決するための手段】
請求項１に係る発明は、複数組のホッパ及び繰出ケースを左右方向に並設させ、かつ複数組のエアタンクを左右方向に延設させる施肥部を走行車に設け、前記走行車の車体カバーの両側に左右補助ステップを配設させてなる田植機において、前記中央のエアタンクの両側に左右エアタンクを第１支点軸を介して回動可能に連結させ、前記左右のうち一方のタンクの機外側端に送風機を固設し、前記支点軸を中心に前記左右エアタンクを略水平に回転させて前記左右補助ステップ上方に移行させるように構成し、前記中央の繰出ケースの両側に左右繰出ケースを、前記第１支点軸とは異なる位置の第２支点軸を介して回動可能に連結させ、前記左右繰出ケースを前記第２支点軸回りに略水平方向に回転させ、前記左右繰出ケースを前記左右補助ステップ上方に移行させるように構成し、前記左右のホッパ及び左右の繰出ケースを施肥作業位置または折畳み収納位置に回転させる前記第２支点軸と、前記送風機及び前記左右のエアタンクを施肥作業位置または折畳み収納位置に回転させる前記第１支点軸とを、前記走行車の運転席両側で左右に張出す前記左右補助ステップの左右設置幅内に設け、前記中央と左右のエアタンクの連結部に配置した前記第１支点軸よりも機外側に前記補助ステップの機外側部を突設し、また前記中央と左右の繰出ケースの接合部に配置した前記第２支点軸よりも機外側に前記補助ステップの機外側部を突設し、前記左右の繰出ケース並びに左右のエアタンクを前記補助ステップの左右設置幅内で上方に収納させるように構成したもので、機外側のホッパ及び繰出ケース及びエアタンクを走行車の機内側に折畳んで左右幅を縮少し得、施肥部を取外すことなく走行車を運搬し得ると共に、機外側のホッパ及び繰出ケース及びエアタンクを施肥作業位置または折畳み収納位置に容易に移行させ得、トラック荷台などを用いた運搬作業性の向上などを容易に図り得るものである。
【０００４】
【発明の実施の形態】
以下、本発明の実施例を図面に基づいて詳述する。図１は乗用田植機の側面図、図２は同平面図を示し、図中（１）は作業者が搭乗する走行車であり、エンジン（２）を車体フレーム（３）前部上方に搭載させ、ミッションケース（４）前方にフロントアクスルケース（５）を介して水田走行用前輪（６）を支持させると共に、前記ギヤ変速ケース（４）の後部にリヤアクスルケース（７）を連設し、前記リヤアクスルケース（７）に水田走行用後輪（８）を支持させる。そして前記エンジン（２）等を覆うボンネット（９）両側に予備苗載台（１０）を取付けると共に、ステップ（１１）を介して作業者が搭乗する車体カバー（１２）によって前記ミッションケース（４）等を覆い、前記車体カバー（１２）上部に運転席（１３）を取付け、その運転席（１３）の前方で前記ボンネット（９）後部に操向ハンドル（１４）を設ける。
【０００５】
また、図中（１５）は８条植え用の苗載台（１６）並びに複数の植付爪（１７）などを具備する植付部であり、前高後低の合成樹脂製の前傾式苗載台（１６）を下部レール（１８）及びガイドレール（１９）を介して植付ケース（２０）に左右往復摺動自在に支持させると共に、一方向に等速回転させるロータリケース（２１）を前記植付ケース（２０）に支持させ、該ケース（２１）の回転軸芯を中心に対称位置に一対の爪ケース（２２）（２２）を配設し、その爪ケース（２２）（２２）先端に植付爪（１７）（１７）を取付ける。また前記植付ケース（２０）の前側にローリング支点軸（２３）を介して支持フレーム（２４）を設け、トップリンク（２５）及びロワーリンク（２６）を含むリンク機構（２７）を介して走行車（１）後側に支持フレーム（２４）を連結させ、前記リンク機構（２７）を介して植付部（１５）を昇降させる昇降シリンダ（２８）をロワーリンク（２６）に連結させ、前記前後輪（６）（８）を走行駆動して移動すると同時に、左右に往復摺動させる苗載台（１６）から一株分の苗を植付爪（１７）によって取出し、連続的に苗植え作業を行うように構成する。
【０００６】
また、図中（２９）は走行変速レバー、（３０）は植付昇降兼作業走行変速用副変速レバー、（３１）は植付け感度調節レバー、（３２）は主クラッチペダル、（３３）（３３）は左右ブレーキペダル、（３４）は２条分均平用センターフロート、（３５）は２条分均平用サイドフロート、（３６）は８条用の側条施肥部である。
【０００７】
さらに、図３、図４に示す如く、肥料を入れる肥料タンクである中央と左右の施肥ホッパ（３７）（３７１）（３７２）と、肥料を定量供給する肥料繰出ケース（３８）と、フロート（３４）（３５）の側条作溝器（３９）にフレキシブル形搬送ホース（４０）を介して肥料を排出させるターボブロワー型送風機（４１）と、円筒形のエアタンク（４２）とを、前記施肥部（３６）に備えると共に、エアタンク（４２）右側端に送風機（４１）を取付け、８条分の８組の肥料繰出ケース（３８）…をエアタンク（４２）上側に配設させている。
【０００８】
さらに、図５乃至図１１に示す如く、前記車体フレーム（３）後端の左右支柱（４３）上端間に横架する水平フレーム（４４）両側に左右ベースフレーム（４５）（４５）を取付け、前後方向に略水平に横架させる前記ベースフレーム（４５）を介して施肥部（３６）を設けると共に、左右ベースフレーム（４５）（４５）にブラケット（４６）（４６）を介してエアタンク（４２）をボルト止め固定させるもので、ベースフレーム（４５）後端部と車体フレーム（３）間にサイドステー（４７）を連結させ、ベースフレーム（４５）前後側に前後昇降レール（４８）（４９）…を立設させ、前後一組左右二対の４本の該昇降レール（４８）（４８）（４９）（４９）を介して施肥部（３６）を昇降自在に取付けると共に、左右一対の２本のガススプリング（５０）（５０）によって昇降自在に施肥部（３６）を取付け、車体フレーム（３）後端部に配置させるリヤアクスルケース（７）に施肥部（３６）重量を支持させるもので、図１２にも示す如く、前後昇降レール（４８）（４９）に対向させる軸受板（５１）を設け、前記レール（４８）（４９）に転動自在に嵌込むベアリングローラ（５２）…を軸受板（５１）に回転自在に軸支させ、前後２本のレール（４８）（４９）を左右対称に２組設け、１本のレール（４８）（４９）に対して上下２個のローラ（５２）（５２）を取付け、左右一対の軸受板（５１）（５１）を４本のレール（４８）（４９）と８個のローラ（５２）…によってベースフレーム（４５）に昇降自在に支持させている。
【０００９】
また、前記ガススプリング（５０）の下端を前記車体フレーム（３）に連結させ、前記軸受板（５１）にガススプリング（５０）上端を連結させ、前記レール（４８）（４９）とガススプリング（５０）を略平行に立設させると共に、施肥部（３６）の前後幅方向の重心位置にガススプリング（５０）を連結させるもので、施肥部（３６）の重量と略等しいかまたは若干小さい伸張力をガススプリング（５０）が有するように構成している。
【００１０】
さらに、左右の軸受板（５１）（５１）を丸パイプ形の前フレーム（５３）によって一体固定させ、施肥部（３６）を持上げるときに作業者が握る取手（５４）を前記前フレーム（５３）に溶接固定させ、左右の前記軸受板（５１）（５１）に支軸（５５）（５５）を介して左右ロックレバー（５６）（５６）を回転自在に軸支させ、前側の左右昇降レール（４８）（４８）に左右ロックレバー（５６）（５６）を介して左右軸受板（５１）（５１）前部を係止させると共に、後側の左右昇降レール（４９）（４９）に左右ロックピン（５７）（５７）を取付け、軸受板（５１）にロックピン（５７）を係脱自在に係入させ、後側の左右昇降レール（４９）（４９）に左右軸受板（５１）（５１）後部を左右ロックピン（５７）（５７）を介して係止させ、軸受板（５１）の前部と後部を前後の昇降レール（４８）（４９）にロックレバー（５６）とロックピン（５７）により固定させる。また、前記昇降レール（４８）に上下係合孔（５８）（５９）を形成させ、各係合孔（５８）（５９）にロックレバー（５６）を係入させて施肥機（３６）を上昇位置または下降位置で固定支持させるもので、ロックレバー（５６）を前記取手（５４）の下側に延出させ、運転席（１３）側に突設させる取手（５４）を作業者が握り乍らロックレバー（５６）を操作し、ロックレバー（５６）を係合孔（５８）（５９）から離脱させることができるように構成している。
【００１１】
また、前記前フレーム（５３）にケース前ブラケット（６０）を溶接固定させ、該ケース前ブラケット（６０）に前記繰出ケース（３８）前側をボルト止め固定させるもので、１ユニットとして構成する中央２条分の繰出ケース（３８）（３８）を左右の昇降レール（４８）（４９）間に配設させ、昇降レール（４８）（４９）の機外側に左右各２条分の繰出ケース（３８）（３８）を夫々配設させ、２条１組として６条分３ユニットの繰出ケース（３８）…を左右に並設させ、さらに左右機外側に左右繰出ケース（３８１）（３８２）を並設させている。
【００１２】
さらに、図１２に示す如く、前記繰出ケース（３８）（３８１）（３８２）の上面前側の取入口（６１）に前記ホッパ（３７）（３７１）（３７２）の下部出口（６２）を嵌着させると共に、前記繰出ケース（３８）（３８１）（３８２）前面下側に取出口（６３）を形成し、着脱自在なキャップ（６４）によって取出口（６３）を閉塞している。前記キャップ（６４）を取外して取出口（６３）を開放し、ホッパ（３７）内部の肥料を前側下方に流下させるもので、このときに施肥部（３６）を昇降レール（４８）（４９）の上昇位置に支持させ、取出口（６３）と下方のエアタンク（４２）の間隔を拡大させ、肥料を入れる容器を前記取出口（６３）下方に容易に差し入れることができ、残留肥料の取出しを容易に行えるように構成している。
【００１３】
また、前記繰出ケース（３８）下面に閉塞レバーを介してケース底部である底蓋（６６）を着脱自在に固定させると共に、硬質合成樹脂製の前記底蓋（６６）下面に出口（６７）を形成するもので、エアタンク（４２）に前端部を嵌着させる軟質合成樹脂製の接合パイプ（６８）を備え、該パイプ（６８）後端に硬質合成樹脂製のホースジョイント（６９）前端を着脱自在に嵌着させると共に、前記ジョイント（６９）後端に前記搬送ホース（４０）を嵌着させ、前記送風機（４１）の送風をエアタンク（４２）から各パイプ（６８）…及びホース（４０）に吹出させ、底蓋（６６）の出口（６７）からジョイント（６９）中間に落下する肥料を搬送ホース（４０）に移動させるもので、Ｔ字形フランジを形成する前記ジョイント（６９）中間に入口（７０）を上向き開放に形成し、底蓋（６６）の出口（６７）に嵌合キャップ（７１）を固定させ、該キャップ（７１）を前記入口（７０）の外壁に着脱自在に嵌着させ、出口（６７）を入口（７０）に接続させると共に、前記エアタンク（４２）に取付板（７２）を一体固定させ、取付板（７２）に前記ジョイント（６９）をボルト止め固定させている。
【００１４】
また、取入口（７３）及び吹出口（７４）を有する入口板（７５）と、同一円周上に略四角形の複数の繰出口（７６）…を有する繰出ロールである繰出板（７７）と、排出口（７８）を有する出口板（７９）を備え、略円形平板製の前記各板（７５）（７７）（７９）を繰出ケース（３８）と底蓋（６６）の間に多層状に配設させると共に、繰出ケース（３８）にロール駆動軸である繰出軸（８０）を略垂直に回転自在に軸支させ、各板（７５）（７７）（７９）の中央部に繰出軸（８０）下端側を貫通させ、出口板（７９）下面に下方側からバネ（８１）を弾圧させ、各板（７５）（７７）（７９）を下方に抜出し自在に繰出軸（８０）に支持させ、かつ閉塞レバーによって各板（７５）（７７）（７９）を繰出ケース（３８）と底蓋（６６）間に弾圧させるもので、入口板（７５）と出口板（７９）を繰出ケース（３８）に係止させ、各板（７５）（７９）に対して繰出軸（８０）を遊転させると共に、繰出板（７７）を繰出軸（８０）に係合軸支させ、繰出軸（８０）によって繰出板（７７）を強制的に回転させ、取入口（７３）から繰出口（７６）に入った肥料を排出口（７８）に移動させて出口（６７）方向に落下させるように構成している。
【００１５】
さらに、図６、図９、図１１にも示す如く、前記エンジン（２）出力を植付部（１５）に伝達させるＰＴＯ軸（８６）をミッションケース（４）から後方に延出させると共に、前記左支柱（４３）に軸受ケース（８７）を溶接固定させ、軸受ケース（８７）の入力軸（８８）を前記ＰＴＯ軸（８６）中間にチェン（８９）を介して連動連結させ、軸受ケース（８７）の出力軸（９０）後端部にクランク板（９１）をボールロック構造により着脱自在に固定させる。また、前記軸受板（５１）及びケース後ブラケット（９２）を一体固定させる四角パイプ形後面フレーム（９３）を備え、エアタンク（４２）及び前フレーム（５３）と略平行に後面フレーム（９３）を横架させ、ケース後ブラケット（９２）に前記繰出ケース（３８）後側をボルト止め固定させる。
【００１６】
また、前記左の軸受板（５１）にブラケット（９４）及び軸（９５）を介して繰出量調節レバー（９６）を軸支させると共に、左の軸受板（５１）に支軸（９７）を介して調節リンク（９８）及び支点リンク（９９）を設け、前記レバー（９６）のネジ部（１００）に調節リンク（９８）を連結させ、支点リンク（９９）に調節支点（１０１）を取付け、該支点（１０１）に駆動アーム（１０２）を軸支させる。
【００１７】
また、前記後面フレーム（９３）に軸受板（１０３）を介して繰出駆動軸（１０４）を回転自在に軸支させ、該駆動軸（１０４）に揺動アーム（１０５）を固定させ、前記駆動アーム（１０２）に長さ調節自在な伸縮ロッド（１０６）一端側を連結させ、かつ前記揺動アーム（１０５）に前記伸縮ロッド（１０６）の他端側を連結させると共に、前記クランク板（９１）を駆動アーム（１０２）に入力ロッド（１０７）を介して連結させ、植付駆動用のＰＴＯ軸（８６）から入力ロッド（１０７）及び駆動アーム（１０２）を介して繰出駆動軸（１０４）に駆動力を伝えるように構成している。
【００１８】
さらに、図８に示す如く、前記後面フレーム（９３）に連れ回り防止一方向クラッチ（１０８）を介してクラッチ軸（１０９）を軸支させ、該クラッチ軸（１０９）に一方向クラッチ（１１０）を介して入力リンク（１１１）を設けると共に、前記繰出駆動軸（１０４）に揺動リンク（１１２）を固定させ、該リンク（１１２）を前記入力リンク（１１１）に連係ロッド（１１３）を介して連結させ、入力リンク（１１１）を揺動させてクラッチ軸（１０９）を一方向に間欠的に回転させるように構成している。
【００１９】
また、前記繰出ケース（３８）に条止めクラッチケース（１１４）を固定させると共に、前記繰出軸（８０）上端側にベベルギヤ（１１６）を介してクラッチ軸（１０９）を常時連結させるもので、繰出軸（８０）を前記クラッチ軸（１０９）に継断自在に連結させる条止めクラッチ（図示省略）を前記クラッチケース（１１４）に内設させると共に、前記ケース（１１４）の条止めクラッチを継断操作するクラッチレバー（１１８）とクラッチアーム（１１９）を前記クラッチケース（１１４）の前後に振分け配設させ、前記植付部（１５）の苗載台（１６）上側背面部に設ける植付け条止め用ユニットクラッチレバー（１２０）に条止めワイヤを介して前記クラッチアーム（１１９）を連結させる。
【００２０】
さらに、図８、図１３、図１４に示す如く、中央２条分の肥料繰出ケース（３８）（３８）取付位置外側で前フレーム（５３）と後面フレーム（９３）に左右の軸受板（５１）（５１）を溶接固定させると共に、前フレーム（５３）と後面フレーム（９３）の両端部を左右のサイドフレーム（１２３）（１２３）によって一体固定させ、両側２条分の肥料繰出ケース（３８）（３８）を軸受板（５１）とサイドフレーム（１２３）間の前フレーム（５３）及び後面フレーム（９３）に取付けるもので、四角枠形の各フレーム（５３）（９３）（１２３）を軸受板（５１）によって左右方向に三等分に区切り、前後のフレーム（５３）（９３）間に６条分の肥料繰出ケース（３８）を掛け渡し支持させる。
【００２１】
さらに、図１５乃至図１８に示す如く、前記ステップ（１１）を取付けるステップフレーム（１２４）に補助ステップ（１２５）を設け、車体カバー（１２）後部両側に左右補助ステップ（１２５）（１２５）を配設させると共に、前記エアタンク（４２）両側に同一形状の左右エアタンク（４２１）（４２２）を連設させ、第１支点軸（１２６）によって回転自在に連結させる蝶番形フランジ（１２７）（１２８）の一方をエアタンク（４２）両端に一体固定させ、前記フランジ（１２７）（１２８）のもう一方を左右エアタンク（４２１）（４２２）端部に一体固定させ、各フランジ（１２７）（１２８）をロックボルト（１２９）と位置決めピン（１３０）によって開閉自在に連結させる。そして、右エアタンク（４２２）端部に前記送風機（４１）を固設させ、送風機（４１）から各タンク（４２２）（４２）（４２１）内に空気を圧送し、施肥作業を行うと共に、トラック荷台に走行車（１）を積んで運搬するとき、前記ロックボルト（１２９）を外し、第１支点軸（１２６）を中心に左右エアタンク（４２１）（４２２）を略水平に回転させて左右補助ステップ（１２５）（１２５）上方に移行させ、左右エアタンク（４２１）（４２２）のロックブラケット（１３１）を補助ステップ（１２５）にロックボルト（１２９）を用いて固定させ、エアタンク（４２）（４２１）（４２２）の左右全幅を縮少させるように構成している。
【００２２】
さらに、図１７乃至図２１に示す如く、前記サイドフレーム（１２３）にロックボルト（１３２）（１３２）を介して左右フレーム（１３３）（１３３）を着脱自在に連結させ、前フレーム（５３）及び後面フレーム（９３）と略同形の分割フレーム（１３４）（１３５）を左右フレーム（１３３）（１３３）と外側フレーム（１３６）（１３６）の間に一体固定させ、分割フレーム（１３４）（１３５）に左右繰出ケース（３８１）（３８２）を固定させると共に、固定側クラッチ軸（１０９）端部を左右繰出ケース（３８１）（３８２）の繰出軸（１３７）（１３７）にドグクラッチ形爪体（１３８）（１３９）を介して着脱自在に連結させ、クラッチ軸（１０９）から爪体（１３８）（１３９）を介して左右繰出ケース（３８１）（３８２）に繰出し駆動力を伝えるように構成している。
【００２３】
また、前フレーム（５３）端部に固定ブラケット（１４０）を一体固定させ、分割フレーム（１３４）に可動ブラケット（１４１）を一体固定させ、第２支点軸（１４２）と長孔（１４３）を介して回転自在及び摺動自在に各ブラケット（１４０）（１４１）を連結させる。そして、図１９及び図２０のように施肥作業位置に左右繰出ケース（３８１）（３８２）を連結支持させているとき、ロックボルト（１３２）を取外し、左右繰出ケース（３８１）（３８１）を長孔（１４３）の案内によって機外側方向に摺動させると共に、左右繰出ケース（３８１）（３８２）を第２支点軸（１４２）回りに略水平方向に回転させ、左右繰出ケース（３８１）（３８２）を補助ステップ（１２５）上方に移行させ、補助ステップ（１２５）の起伏自在なロックアーム（１４４）を起立させてロックボルト（１４５）により左右フレーム（１３３）（１３３）に固定させ、左右繰出ケース（３８１）（３８２）と左右ホッパ（３７１）（３７２）を車体カバー（１２）上に折畳んで左右幅を縮少させ、トラック荷台に走行車（１）を積んで運搬するように構成している。
【００２４】
なお、左右繰出ケース（３８１）（３８２）を折畳むとき、昇降操作によって繰出ケース（３８）（３８２）をジョイント（６９）から分離させると共に、搬送ホース（４０）をジョイント（６９）から分離させ、左右エアタンク（４２１）（４２２）にジョイント（６９）を取付けた状態で左右エアタンク（４２１）（４２２）を折畳むように構成している。
【００２５】
上記から明らかなように、複数組のホッパ（３７）（３７１）（３７２）及び繰出ケース（３８）（３８１）（３８２）を左右方向に並設させる施肥部（３６）を走行車（１）に設ける田植機において、左右機外側のホッパ（３７１）（３７２）及び繰出ケース（３８１）（３８２）を垂直軸芯回りに回動自在に取付け、左右機外側のホッパ（３７１）（３７２）及び繰出ケース（３８１）（３８２）を走行車（１）機内側に折畳んで左右幅を縮少させ、施肥部（３６）を取外すことなく走行車（１）を運搬でき、しかも左右機外側のホッパ（３７１）（３７２）及び繰出ケース（３８１）（３８２）を施肥作業位置または折畳み収納位置に容易に移行させることができると共に、左右機外側のホッパ（３７１）（３７２）及び繰出ケース（３８１）（３８２）を左右機外側方向に摺動自在に取付け、左右機外側の繰出ケース（３８１）（３８２）駆動部構造の簡略化並びに繰出ケース駆動部の分離及び結合操作性の向上などを容易に行える。また、左右機外側の繰出ケース（３８１）（３８２）に設ける繰出軸（１３７）を固定側軸であるクラッチ軸（１０９）に対して着脱自在に噛合連結させ、前記繰出軸（１３７）と固定側クラッチ軸（１０９）の噛合いによって各軸（１３７）（１０９）の剛性を確保でき、また固定側の繰出ケース（３８）と機外側の繰出ケース（３８１）（３８２）の側面視を一致させ、取付け部品の共用化を図り、かつ繰出軸（１３７）と固定側クラッチ軸（１０９）の回転を常に同期させて施肥量を全条均一に保つと共に、軸芯方向にテーパを形成したドグクラッチ形爪体（１３８）（１３９）によって繰出軸（１３７）と固定側クラッチ軸（１０９）を連結させたもので、テーパのくさび作用によって繰出軸（１３７）を固定側クラッチ軸（１０９）に爪体（１３８）（１３９）を介して一体的に連結させ、前記各軸（１０９）（１３７）が回転方向にずれて騒音が生じるのを防ぐ。また、固定側クラッチ軸（１０９）端部を固定側ホッパ（３７）の左右幅内に取付け、機外側のホッパ（３７１）（３７２）を折畳んだときに固定側のホッパ（３７）の機内側に固定側クラッチ軸（１０９）が支持され、固定側クラッチ軸（１０９）端部が衝突などによって損傷するのを防ぐように構成している。
【００２６】
さらに、図１７に示す如く、左右繰出ケース（３８１）（３８２）に条止めクラッチケース（１１４）を固定させ、該クラッチケース（１１４）に内設させる条止めクラッチ（図示省略）を入切させるクラッチアーム（１１９）を設け、前記ユニットクラッチレバー（１２０）にクラッチワイヤ（１４６）を介してクラッチアーム（１１９）を連結させ、前記レバー（１２０）操作によりワイヤ（１４６）を引張ってクラッチアーム（１１９）を入位置に支持させ、左右繰出ケース（３８１）（３８２）に繰出駆動力を入力させると共に、前記クラッチアーム（１１９）を切位置に保持させるリターンバネ（１４７）を設け、前記レバー（１２０）の条止め操作によってワイヤ（１４６）が緩んだとき、リターンバネ（１４７）によってクラッチアーム（１１９）を切位置に戻し、条止めクラッチを切保持するように構成している。また、前記クラッチワイヤ（１４６）端部をクラッチアーム（１１９）に着脱自在に連結させ、クラッチアーム（１１９）を入位置に保持し乍らワイヤ（１４６）を緩めることによってワイヤ（１４６）をクラッチアーム（１１９）から外すことができるもので、左右機外側の繰出ケース（３８１）（３８２）に設ける条止めクラッチを入切操作するクラッチワイヤ（１４６）のアウタ受（１４６ａ）を固定側に設け、条止めクラッチのクラッチアーム（１１９）からクラッチワイヤ（１４６）を外すだけで機外側の繰出ケース（３８１）（３８２）の折畳み操作を行え、クラッチワイヤ（１４６）などの操作系の脱着操作の簡略化を行えるように構成している。
【００２７】
さらに、図２２に示す如く、前記ホッパ（３７）の上面開口に蓋（１４８）を開閉自在に設けると共に、軟質透明ビニール製のカバー（１４９）を蓋（１４８）に着脱自在に設け、蓋（１４８）を開放させたとき、ホッパ（３７）上面をカバー（１４９）により閉塞し、雨水がホッパ（３７）内部に入るのを防止し、また１条分または２条もしくは３条ユニット毎にカバー（１４９）を分割形成し、ホッパ（３７）のカバー（１４９）を部分的に開けて肥料を補給するもので、蓋（１４８）を開ける動作でホッパ（３７）がカバー（１４９）によって自動的に閉塞され、蓋（１４８）を閉じることによって運転席（１３）との間にカバー（１４９）が収納され、また不要なとき、マジックテープにより着脱するカバー（１４９）だけを取外して作業を行えるように構成している。
【００２８】
【発明の効果】
以上実施例から明らかなように、請求項１に係る発明は、複数組のホッパ（３７）（３７１）（３７２）及び繰出ケース（３８）（３８１）（３８２）を左右方向に並設させ、かつ複数組のエアタンク（４２）（４２１）（４２２）を左右方向に延設させる施肥部（３６）を走行車（１）に設け、前記走行車（１）の車体カバー（１２）の両側に左右補助ステップ（１２５）を配設させてなる田植機において、前記中央のエアタンク（４２）の両側に左右エアタンク（４２１）（４２２）を第１支点軸（１２６）を介して回動可能に連結させ、前記左右のうち一方のタンク（４２２）の機外側端に送風機（４１）を固設し、前記支点軸（１２６）を中心に前記左右エアタンク（４２１）（４２２）を略水平に回転させて前記左右補助ステップ（１２５）上方に移行させるように構成し、前記中央の繰出ケース（３８）の両側に左右繰出ケース（３８１）（３８２）を、前記第１支点軸（１２６）とは異なる位置の第２支点軸（１４２）を介して回動可能に連結させ、前記左右繰出ケース（３８１）（３８２）を前記第２支点軸（１４２）回りに略水平方向に回転させ、前記左右繰出ケース（３８１）（３８２）を前記左右補助ステップ（１２５）上方に移行させるように構成し、前記左右のホッパ（３７１）（３７２）及び左右の繰出ケース（３８１）（３８２）を施肥作業位置または折畳み収納位置に回転させる前記第２支点軸（１４２）と、前記送風機（４１）及び前記左右のエアタンク（４２１）（４２２）を施肥作業位置または折畳み収納位置に回転させる前記第１支点軸（１２６）とを、前記走行車（１）の運転席（１３）両側で左右に張出す前記左右補助ステップ（１２５）の左右設置幅内に設け、前記中央と左右のエアタンク（４２）（４２１）（４２２）の連結部に配置した前記第１支点軸（１２６）よりも機外側に前記補助ステップ（１２５）の機外側部を突設し、また前記中央と左右の繰出ケース（３８）（３８１）（３８２）の接合部に配置した前記第２支点軸（１４２）よりも機外側に前記補助ステップ（１２５）の機外側部を突設し、前記左右の繰出ケース（３８１）（３８２）並びに左右のエアタンク（４２１）（４２２）を前記補助ステップ（１２５）の左右設置幅内で上方に収納させるように構成したもので、機外側のホッパ（３７１）（３７２）及び繰出ケース（３８１）（３８２）及びエアタンク（４２１）（４２２）を走行車（１）の機内側に折畳んで左右幅を縮少でき、施肥部（３６）を取外すことなく走行車（１）の左右幅を容易に変更できると共に、機外側のホッパ（３７１）（３７２）及び繰出ケース（３８１）（３８２）及びエアタンク（４２１）（４２２）を施肥作業位置または折畳み収納位置に容易に移行させることができ、トラック荷台などを用いた運搬作業性の向上などを容易に図ることができるものである。
【図面の簡単な説明】
【図１】全体の側面図である。
【図２】同平面図である。
【図３】施肥部の平面図である。
【図４】同背面図である。
【図５】同側面説明図である。
【図６】昇降レール部側面説明図である。
【図７】肥料繰出ケース部の側面説明図である。
【図８】肥料繰出ケース部の平面説明図である。
【図９】ベースフレーム部の背面説明図である。
【図１０】肥料繰出ケース部の背面説明図である。
【図１１】繰出駆動入力部の同側面説明図である。
【図１２】肥料繰出ケースの断面側面説明図である。
【図１３】施肥部右側の平面図である。
【図１４】施肥部左側の平面図である。
【図１５】エアタンク右側の平面図である。
【図１６】エアタンク左側の平面図である。
【図１７】施肥部右側の背面図である。
【図１８】施肥部右側の右側面図である。
【図１９】右繰出ケース部の平面図である。
【図２０】左繰出ケース部の平面図である。
【図２１】図１９の拡大図である。
【図２２】ホッパ蓋開放側面図である。
【符号の説明】
（１）走行車
（１２）車体カバー
（１３）運転席
（３６）施肥部
（３７）（３７１）（３７２）ホッパ
（３８）（３８１）（３８２）繰出ケース
（４１）送風機
（４２）（４２１）（４２２）エアタンク
（１２５）補助ステップ
（１２６）第１支点軸
（１４２）第２支点軸
【図１】
0003672074.tif 000002
【図２】
0003672074.tif 000003
【図３】
0003672074.tif 000004
【図４】
0003672074.tif 000005
【図５】
0003672074.tif 000006
【図６】
0003672074.tif 000007
【図７】
0003672074.tif 000008
【図８】
0003672074.tif 000009
【図９】
0003672074.tif 000010
【図１０】
0003672074.tif 000011
【図１１】
0003672074.tif 000012
【図１２】
0003672074.tif 000013
【図１３】
0003672074.tif 000014
【図１４】
0003672074.tif 000015
【図１５】
0003672074.tif 000016
【図１６】
0003672074.tif 000017
【図１７】
0003672074.tif 000018
【図１８】
0003672074.tif 000019
【図１９】
0003672074.tif 000020
【図２０】
0003672074.tif 000021
【図２１】
0003672074.tif 000022
【図２２】
0003672074.tif 000023